(57)【要約】【課題】内部に残った飲料水が漏れ出ることを抑制できる、飲料水容器を提供する。【解決手段】飲料水容器は、軟素材で形成された容器本体と、記容器本体の所定の位置に設けられた穿孔補助部材とを備える飲料水容器であって、穿孔補助部材は、側壁と、側壁の一端から外方に延出し容器本体に取り付けられるフランジと、側壁に囲まれた流路を開閉可能な弁体とを含み、穿孔補助部材は、容器本体の下方に設置され、弁体は、容器本体を穿孔して内容物を取り出すための穿孔部材が流路に挿入されると穿孔部材によって押し開けられて開状態となり、穿孔部材が流路から抜去されると内容物に押されて閉状態となる。【選択図】図２
2019189321.tif 000002
【特許請求の範囲】
【請求項１】
軟素材で形成された容器本体と、
前記容器本体の所定の位置に設けられた穿孔補助部材とを備える飲料水容器であって、
前記穿孔補助部材は、
側壁と、
前記側壁の一端から外方に延出し前記容器本体に取り付けられるフランジと、
前記側壁に囲まれた流路を開閉可能な弁体とを含み、
前記穿孔補助部材は、前記容器本体の下方に設置され、
前記弁体は、前記容器本体を穿孔して内容物を取り出すための穿孔部材が前記流路に挿入されると前記穿孔部材によって押し開けられて開状態となり、前記穿孔部材が前記流路から抜去されると内容物に押されて閉状態となる、
飲料水容器。
【発明の詳細な説明】
【技術分野】
【０００１】
本発明は、ウォーターサーバー等に用いられる飲料水容器に関するものである。
【背景技術】
【０００２】
軟包装材等を用いて形成された飲料水容器を収容して使用するウォーターサーバーが知られている。
【０００３】
特許文献１には、飲料水の入った袋（飲料水容器）をセットするボトルホルダーを備え、ボトルホルダーに袋をセットすると、ボトルホルダーの底面に設けられたニードルによって袋に孔が開けられ、流出した飲料水がニードルの通路を通って冷却タンクへ貯められるウォーターサーバーが開示されている。
【０００４】
また、特許文献２には、水袋収容部に収容された飲料水の入った水袋（飲料水容器）の上部に、フレキシブルな取水管路の先端に設けられた配管器具の中空針（ニードル）を突き刺して飲料水を取り出すことのできるウォーターサーバーが開示されている。
【先行技術文献】
【特許文献】
【０００５】
【特許文献１】特許第４６７７５０８号公報
【特許文献２】特許第５３８０５８４号公報
【発明の概要】
【発明が解決しようとする課題】
【０００６】
このような飲料水容器では、内容物である飲料水を取り出し終える等して飲料水容器をウォーターサーバーから取り外す際に、内部に残った飲料水がニードルにより開けられた孔から漏れ出て、周辺を濡らしてしまうおそれがあった。
【０００７】
本発明はこのような課題に鑑みてなされたものであり、内部に残った飲料水が漏れ出ることを抑制できる、飲料水容器を提供することを目的とする。
【課題を解決するための手段】
【０００８】
上記課題を解決するための本発明の一局面は、軟素材で形成された容器本体と、記容器本体の所定の位置に設けられた穿孔補助部材とを備える飲料水容器であって、穿孔補助部材は、側壁と、側壁の一端から外方に延出し容器本体に取り付けられるフランジと、側壁に囲まれた流路を開閉可能な弁体とを含み、穿孔補助部材は、容器本体の下方に設置され、弁体は、容器本体を穿孔して内容物を取り出すための穿孔部材が流路に挿入されると穿孔部材によって押し開けられて開状態となり、穿孔部材が流路から抜去されると内容物に押されて閉状態となる、飲料水容器である。
【発明の効果】
【０００９】
本発明によれば、内部に残った飲料水が漏れ出ることを抑制できる、飲料水容器を提供することができる。
【図面の簡単な説明】
【００１０】
【図１】本発明の一実施形態に係る飲料水容器を収容したウォーターサーバーの模式図
【図２】本発明の一実施形態に係る飲料水容器の斜視図および拡大断面図
【図３】本発明の一実施形態に係る飲料水容器の拡大断面図
【発明を実施するための形態】
【００１１】
本発明の実施形態に係る飲料水容器について、図を参照して説明する。
【００１２】
＜構成＞
図１に、本発明の一実施形態に係る飲料水容器１００を収容したウォーターサーバー５００の模式図を示し、図２に、飲料水容器１００の斜視図とそのＡ−Ａ’線に沿った拡大断面図を示す。図２に示すように、飲料水容器１００は、容器本体１１０と、穿孔補助部材１２０とを含んで構成される。なお、図２の斜視図では、穿孔補助部材１２０の取り付け位置を明確にするため、穿孔補助部材１２０を上方に向けた状態の容器本体１１０を示す。
【００１３】
図１に示すように、飲料水容器１００は、ウォーターサーバー５００に収容して用いられる。飲料水容器１００は、ウォーターサーバー５００の収容部５１０に収容された後、ウォーターサーバー５００が備える中空の穿孔部材であるニードル５２０を用いて容器本体１１０の表面に飲料水を取出すための孔が穿孔される。ニードル５２０の先端付近には通孔が形成されており、通孔からニードル５２０の内部に流入した飲料水はウォーターサーバー５００の内部に設けられた貯水タンク５３０へ貯留される。貯水タンク５３０に貯留された飲料水は、給水栓５４０を通して外部へ取り出すことができる。
【００１４】
図１に示すように、ウォーターサーバー５００では、飲料水容器１００を貯水タンク５３０や給水栓５４０より上方に収容することで、大気圧や飲料水の自重によって飲料水を外部に取り出しているが、飲料水容器１００を貯水タンク５３０や給水栓５４０の下方に収容し、飲料水をポンプ等で吸い上げて外部に取り出してもよい。
【００１５】
また、ウォーターサーバー５００では、一旦、貯水タンク５３０に貯留した飲料水を給水栓５４０へ供給しているが、貯水タンク５３０を設けずに飲料水を給水栓５４０に直接導いてもよい。
【００１６】
（容器本体）
容器本体１１０は、軟素材（軟包装材料）で形成された包装袋である。容器本体１１０の内容量は特に限定されないが、用いられるウォーターサーバー５００の大きさに応じて例えば１リットル〜２０リットルの大きさに形成される。容器本体１１０の形状は特に限定されないが、例えば１枚の矩形状のフィルムを折り曲げて、合わせた端縁をシールして収容部を形成した三方シール袋や、四方シール袋等が好適に用いることができる。
【００１７】
容器本体１１０に用いられる軟素材は、単層フィルム、積層フィルムのいずれであってもよい。フィルムの材料は特に限定されないが、単層フィルムであれば、例えばポリエチレン（ＰＥ）を用いることができる。また、積層フィルムであれば、例えば、容器本体１１０の外方側からＰＥ／ナイロン（ＮＹ）／ＰＥ、ＰＥ／ＮＹ／ポリエチレンテレフタレート（ＰＥＴ）、ＰＥ／ＮＹ／透明蒸着ＰＥＴ、ＰＥ／ＮＹ／（ポリシクロオレフィン層を有するＰＥ）をそれぞれ積層したフィルムを用いることができる。
【００１８】
（穿孔補助部材）
穿孔補助部材１２０は、ウォーターサーバー５００に収容された状態における容器本体１１０下方の、穿孔が予定される所定の位置に設けられる部材である。穿孔補助部材１２０は、側壁１２１と、側壁１２１の一端から外方に延出するように設けられたフランジ１２２と、側壁１２１に囲まれた流路を開閉可能な弁体１２３とを含む。穿孔補助部材１２０は、側壁１２１が容器本体１１０の外面から外方に延出するように、フランジ１２２を容器本体１１０の外面に超音波等を用いた溶着等で固定することで容器本体１１０に取り付けられる。
【００１９】
穿孔補助部材１２０は、ニードル５２０により穿孔される所定の位置を示し、穿孔の後は側壁１２１によってニードル５２０と容器本体１１０との位置ずれを抑制することができる。
【００２０】
弁体１２３は、飲料水容器１００をウォーターサーバー５００から取り外す際に、容器本体１１０の内部に残った飲料水がニードル５２０により形成された孔から漏れ出ることを防ぐための部材である。
【００２１】
図２に示すように、弁体１２３は、一例として球状の部材である。側壁１２１のフランジ１２２とは反対側の端面には底面１２４が設けられている。底面１２４には、略中央にニードル５２０の少なくとも一部を挿入して容器本体１１０に穿孔することができ、かつ弁体１２３が通り抜けることができない直径の排出孔１２４ａが形成されている。弁体１２３は、側壁１２２により囲まれた空間に収容されている。
【００２２】
側壁１２１は、ニードル５２０が容器本体１１０に穿孔された状態を確実に保持するために、ウォーターサーバー５００が備える接続部材と係合してもよい。
【００２３】
穿孔補助部材１２０の材料は特に限定されないが、ＰＥ、ＰＥＴ、およびこれらの組み合せ等を用いることができる。
【００２４】
なお、流路内に塵埃が入るのを抑制するため、未使用時に流路の開口を覆う蓋材が設けられてもよい。また、フランジ１２２は、容器本体１１０のフィルムに曲がりやしわが発生しないよう、容器本体１１０と接触する領域が２つ以上に分離せず連続する形状であることが好ましい。
【００２５】
次に、図を参照して弁体１２３の動きについて説明する。図３は、飲料水容器１００の拡大断面図である。
【００２６】
穿孔されていない飲料水容器１００の穿孔補助部材１２０の流路にニードル５２０が挿入されることにより、弁体１２３が排出孔１２４ａから押し除けられる。この結果、弁体１２３は、ニードル５２０によって押し開けられた開状態となる（図３の左図）。開状態のまま、ニードル５２０をさらに挿入することによって容器本体１１０に穿孔することができる。
【００２７】
そして、ニードル５２０が流路および排出孔１２４ａから抜去されると、弁体１２３は、容器本体１１０の孔から流出する飲料水に押されて排出孔１２４ａに向かう。この結果、弁体１２３は閉状態となる（図３の右図）。
【００２８】
なお、弁体１２３は、側壁１２１に囲まれた流路を開閉可能であり、ニードルで開状態にできれば上記の形態に限定されず、例えば板状の部材の一端を流路内壁に取り付け、他端を流路内で移動可能にして、流路を開閉することのできるようにしてもよい。
【００２９】
＜効果＞
このように、本発明によれば、穿孔補助部材が備える弁体は、穿孔部材が流路に挿入されると開状態となり、穿孔部材が流路から抜去されると閉状態となる。このため、飲料水容器をウォーターサーバーから取り外す際に内部に残った飲料水が漏れ出ることを抑制できる。
【産業上の利用可能性】
【００３０】
本発明は、ウォーターサーバー用の飲料水容器等に用いることができる。
【符号の説明】
【００３１】
１００    飲料水容器
１１０    容器本体
１２０    穿孔補助部材
１２１    側壁
１２２    フランジ
１２３    弁体
１２４    底面
５００    ウォーターサーバー
５１０    収容部
５２０    ニードル
５３０    貯水タンク
５４０    給水栓
【図１】
2019189321.tif 000003
【図２】
2019189321.tif 000004
【図３】
2019189321.tif 000005